(57)【要約】      （修正有）【課題】内容物の漏出を防止して確実に混練を可能にした医療用ペースト混練注入器を提供する。【解決手段】シリンダと、ピストンと、ストッパとを備えて成る医療用ペースト混練注入器において、ノズル部３１に装着されるキャップ７を備え、前記キャップは、前記ノズル部における開口部３５の内壁に密着可能な外周面を有する栓体部７４、この栓体部を保持する係合ベース７３、及び前記栓体部の外側であって前記係合ベースから突出し、前記ノズル部の外周基部に嵌合する凸部７５を有する係合脚部７７を備えてなる内側栓体部材７１と、前記内側栓体部材の係合ベースを内装し、かつ前記凸部を前記ノズル部の外周基部に締め付ける外側リング７２とを備えたことを特徴とする医療用ペースト混練注入器及び医療用ペースト混練注入器材。【選択図】        図５
2004254783.tif 000002
【特許請求の範囲】
【請求項１】
一端にノズル部を備え、かつ他端を開口する有底筒状のシリンダと、
前記シリンダの内部に収容空間を形成する仕切り具、前記仕切り具を挿通し、前後進可能に、また回転可能に設けられたシャフト部、前記シリンダに装着された前記仕切り具により形成された前記収容空間内に配置可能に、前記シャフト部の一端に設けられた混練部、及び前記シリンダの外部に配置可能に、前記シャフト部の他端に設けられたハンドル部を備えて成るピストンと、
前記仕切り具を前記シリンダの他端側で前記シリンダに前後進不能かつ回転不能に固定するストッパとを備えて成る医療用ペースト混練注入器において、
前記ノズル部に装着されるキャップを備え、
前記キャップは、
前記ノズル部における開口部の内壁に密着可能な外周面を有する栓体部、この栓体部を保持する係合ベース、及び前記栓体部の外側であって前記係合ベースから突出し、前記ノズル部の外周基部に嵌合する凸部を有する係合脚部を備えてなる内側栓体部材と、
前記内側栓体部材の係合ベースを内装し、かつ前記凸部を前記ノズル部の外周基部に締め付ける外側リングとを備えたことを特徴とする医療用ペースト混練注入器。
【請求項２】
前記ノズル部は、その先端に回り止め防止部を備え、前記キャップは、前記栓体部と前記係合脚部との間に、回り止め防止部と係合してキャップの空転を防止する回転防止部を備えて成ることを特徴とする請求項１に記載の医療用ペースト混練注入器。
【請求項３】
前記外側リングは、その外周に滑り止め部を設け、かつ、外側リングに嵌められた栓体部材が外側リングから脱落不能とする係止部を設けて成ることを特徴とする請求項１又は２に記載の医療用ペースト混練注入器。
【請求項４】
前記栓体部は、係合ベースより先端に向かうにしたがって細くなる円錐台形状に形成されて成り、前記ノズル部の開口部の内周面が、その開口部からシリンダ側に向かうに従って細くなる円錐状に形成して成ることを特徴とする請求項１〜３の何れか１項に記載の医療用ペースト混練注入器。
【請求項５】
前記ノズル部は、その外周に他の器具を螺合するネジ山を有して成ることを特徴とする請求項１〜４の何れか１項に記載の医療用ペースト混練注入器。
【請求項６】
前記内側栓体部材は、前記係合脚部の前記凸部とは反対側に、前記外側リングに設けられた係止部を係留可能な環状係留部を備えて成る前記請求項３〜５の何れか一項に記載の医療用ペースト混練注入器。
【請求項７】
前記請求項１〜６の何れか１項に記載の医療用ペースト混練注入器と、
前記シリンダ内に装填された医療用ペーストの粉末成分とを有することを特徴とする医療用ペースト混練注入器材。
【請求項８】
前記医療用ペーストの粉末成分はリン酸カルシウム系粉体である前記請求項７に記載の医療用ペースト混練注入器材。
【請求項９】
前記シリンダは、その内部にさらに液体を装填して成ることを特徴とする前記請求項７又は８に記載の医療用ペースト混練注入器材。
【発明の詳細な説明】
【０００１】
【発明の属する技術分野】
この発明は、医療用ペースト混練注入器及び医療用ペースト混練注入基材に関し、さらに詳しくは、例えば医科又は歯科の治療に使用される医療用ペースト例えば骨ペーストを調合することができるとともに、調合した前記医療用ペーストを注入することのできる医療用ペースト混練注入器及びその医療用ペースト混練注入器内に医療用粉体を、又はこの医療用粉体と液体とを収容して成る医療用ペースト混練注入器材に関する。
【０００２】
【従来技術】
この種の医療用ペーストはリン酸カルシウム系粉体を主成分とするペーストであり、この医療用ペーストは生体骨や歯の組織を構成する無機成分と同じヒドロキシアパタイトを形成し、硬化するので、生体親和性が高いという特徴があり、歯科や整形や形成等の医療分野でよく使われている。
【０００３】
この医療用ペーストは、リン酸カルシウム系粉末と液体例えば硬化液とを特定の器具例えば乳鉢に入れて混練し、その後に得られた医療用ペーストを注射器等に移し替え、この医療用ペーストを注射器で患部に塗布等している。したがって、この混練には熟練を要したり、注射器に充填する作業が煩雑であったり、あるいは、開放容器内で操作を行うために、混練中や注射器に充填する際に異物が混入するおそれがあった。
【０００４】
このような不都合を解消するものとして、特許文献１において、リン酸カルシウム系セメント用混練器具が提案されている。
【０００５】
このリン酸カルシウム系セメント用混練器具は、「円筒部１１と該円筒部の一端側に設けられるノズル部１２とを具備するシリンダ１と、該円筒部内を摺動可能に設けられる仕切り具２と、該仕切り具を挿通し上下移動並びに回転可能に設けられるシャフト部３１、該シャフト部の一端に設けられる混練部３２、及び該シャフト部の他端に設けられるハンドル部３４とを具備するピストン３と、該シリンダの該ノズル部の先端に設けられる蓋４と、該仕切り具を該シリンダの他端側に固定するストッパ５と、を備えることを特徴とする」。
【０００６】
【特許文献１】特開２０００−２８７２０８号公報（請求項１、段落番号［０００４］以降、図１〜図７）
このようなリン酸カルシウム系セメント用混練器具においては、シリンダのノズルに蓋をし、ノズル部を下に向け、シリンダの開口部を上にした状態で所定量のリン酸カルシウム系セメントの粉末をシリンダ内部に入れる。ついで、混練部がシリンダ内になるようにピストンを挿入し、仕切り具をストッパでシリンダの端部側で止める。
【０００７】
そして、ハンドルを一定方向例えば時計回りに回転させて混練部をノズル側近くまで移動させたり、ハンドルを前記とは逆方向例えば反時計回りに回転させて混練部を仕切り具近くにまで移動させたりすることにより、リン酸カルシウム系セメントの粉末と硬化液とを均一になるように充分に混練する。この混練操作は前記特許文献１に詳述されている。
【０００８】
混練が終了したところで、混練部を仕切り具まで戻した後、ストッパと蓋とを順次に外してリン酸カルシウム系セメント用混練器具を注射器として使用する。
【０００９】
これにより、簡単に混練ができ、異物の混入のおそれもなく、更には注射器に充填する必要もなく、直ぐに、患部等に塗布することができる、とされている。
【００１０】
しかしながら、上述した従来のリン酸カルシウム系セメント用混練器具においては、混練部を回転移動させて混練操作を行うと、混練物がシリンダのノズル側壁面に押さえつけられることになり、その結果としてシリンダの内部に露出している蓋の一部に高い圧力がかかってしまい、混練途中でノズルに装着しておいた蓋が緩み、あるいは外れて混練ができなくなるという欠点があった。特に、ノズル部の内径が４ｍｍを越える場合には、混練操作中にノズル部に装着する蓋が緩んでシリンダ内のペーストが漏出し、又は蓋がノズル部から脱落するという新たな問題が生じていた。
【００１１】
【発明が解決しようとする課題】
この発明は、上述した欠点を解消し、確実に混練を可能にした医療用ペースト混練注入器を提供することを目的とする。
【００１２】
【課題を解決しようとする手段】
上記目的を達成するための手段として、請求項１は、一端にノズル部を備え、かつ他端を開口する有底筒状のシリンダと、
前記シリンダの内部に収容空間を形成する仕切り具、前記仕切り具を挿通し、前後進可能に、また回転可能に設けられたシャフト部、前記シリンダに装着された前記仕切り具により形成された前記収容空間内に配置可能に、前記シャフト部の一端に設けられた混練部、及び前記シリンダの外部に配置可能に、前記シャフト部の他端に設けられたハンドル部を備えて成るピストンと、
前記仕切り具を前記シリンダの他端側で前記シリンダに前後進不能かつ回転不能に固定するストッパとを備えて成る医療用ペースト混練注入器において、
前記ノズル部に装着されるキャップを備え、
前記キャップは、
前記ノズル部における開口部の内壁に密着可能な外周面を有する栓体部、この栓体部を保持する係合ベース、及び前記栓体部の外側であって前記係合ベースから突出し、前記ノズル部の外周基部に嵌合する凸部を有する係合脚部を備えてなる内側栓体部材と、
前記内側栓体部材の係合ベースを内装し、かつ前記凸部を前記ノズル部の外周基部に締め付ける外側リングとを備えたことを特徴とする医療用ペースト混練注入器であり、
請求項２は、前記ノズル部は、その先端に回り止め防止部を備え、前記キャップは、前記栓体部と前記係合脚部との間に、回り止め防止部と係合してキャップの空転を防止する回転防止部を備えて成ることを特徴とする請求項１に記載の医療用ペースト混練注入器であり、
請求項３は、前記外側リングは、その外周に滑り止め部を設け、かつ、外側リングに嵌められた栓体部材が外側リングから脱落不能とする係止部を設けて成ることを特徴とする請求項１又は２に記載の医療用ペースト混練注入器であり、
請求項４は、前記栓体部は、係合ベースより先端に向かうにしたがって細くなる円錐台形状に形成されて成り、前記ノズル部の開口部の内周面が、その開口部からシリンダ側に向かうに従って細くなる円錐状に形成して成ることを特徴とする請求項１〜３の何れか１項に記載の医療用ペースト混練注入器であり、
請求項５は、前記ノズル部は、その外周に他の器具を螺合するネジ山を有して成ることを特徴とする請求項１〜４の何れか１項に記載の医療用ペースト混練注入器であり、
請求項６は、前記内側栓体部材は、前記係合脚部の前記凸部とは反対側に、前記外側リングに設けられた係止部を係留可能な環状係留部を備えて成る前記請求項３〜５の何れか一項に記載の医療用ペースト混練注入器であり、
請求項７は、前記請求項１〜６の何れか１項に記載の医療用ペースト混練注入器と、
前記シリンダ内に装填された医療用ペーストの粉末成分とを有することを特徴とする医療用ペースト混練注入器材であり、
請求項８は、前記医療用ペーストの粉末成分はリン酸カルシウム系粉体である前記請求項７に記載の医療用ペースト混練注入器材であり、
請求項９は、前記シリンダがその内部にさらに液体を装填して成ることを特徴とする前記請求項７又は８に記載の医療用ペースト混練注入器材である。
【００１３】
【発明の実施の形態】
以下、この発明の実施の形態を、図面を参照して説明する。
【００１４】
図１に示すように、この発明の一例である医療用ペースト混練注入器１は、一端にノズル部３１を有すると共に他端を開口する有底の円筒体３０を備えるシリンダ３と、ピストン５と、キャップ７と、ストッパ９とを備えて成る。
【００１５】
図２に示すように、前記ノズル部３１は、シリンダ３の内部に収容乃至装填された内容物例えば粉体又は粉体と液体とをシリンダ３の外部に排出し、又は外部からシリンダ３の内部に前記内容物を吸引する導入排出路としての機能を備える。このような機能を有するこのノズル部３１は、前記シリンダ３の一端において、シリンダ３の軸線方向に沿ってシリンダ３の一端からさらに突出して円筒状に形成されて成る。前記ノズル部３１の外周基部には、図２に示すように、接合部３２が設けられている。前記ノズル部３１の先端には、図２及び図３に示すように、回り止め防止部である複数の突起３３が、所定間隔を設けて環状に設けられる。また、前記ノズル部３１の外周には他の器具、特に後述するキャップ７の凸部７５を螺合するためのネジ山３４が螺設される。さらに、前記ノズル部３１の開口部３５は、その内壁面形状が、開口部３５の縁辺からシリンダ３側に向かうに従って細くなる円錐状に形成されてなる。
【００１６】
前記ピストン５は、前記シリンダ３を形成する円筒体３０の内部を実質的に液密に摺動可能に形成されてなる仕切り具５１と、前記仕切り具５１の中心部に挿通され、回動によって前後進可能に設けられたシャフト部５２と、前記円筒体３０の内部であってその開口部近傍に前記仕切り具５１を装填した場合に前記円筒体３０の内部に位置するように前記シャフト部５２の一端に設けられた混練部５３と、前記円筒体３０の外部で前記シャフト部５２の他端に設けられたハンドル部５４とを有して成る。前記仕切り具５１は、図１に示されるように、その外周にＯ−リング５０を備えて成る。これによって、シリンダ３の内壁面と仕切り具５１の外周面との間隙をシールすることができ、また仕切り具５１をシリンダ３の内部において摺動可能に移動させることができる。
【００１７】
前記ピストン５に取り付けられている仕切り具５１は、ストッパ９によって前記シリンダ３の他端側で固定される。このストッパ９は、シリンダ３の他端側開口部近傍において、前記シリンダ３に対して前記仕切り具５１を動かないように固定すること、換言するとシリンダ３に対して仕切り具５１がその軸線方向に沿って前後進不可能に、かつ軸線を中心にして回転不可能に固定することができる限り様々の態様を取り得ることができ、この実施形態においては、シリンダ３の他端開口部近傍の周側面に開口する貫通孔に挿通するとともに、前記仕切り具５１の周側面に開設された穴に先端部を挿入することのできるピンとこのピンの後端部に取り付けられた円板状のノブとで形成される。
【００１８】
前記ノズル部３１に嵌合されるキャップ７は、図４に示すように、内側栓体部材７１と、外側リング７２とを有して成る。
【００１９】
前記内側栓体部材７１は、図４に示すように、薄い円板状に形成した係合ベース７３と、前記係合ベース７３の中央部から突出して前記シリンダ３のノズル部３１における開口部の内壁に密着可能な栓体部７４と、前記栓体部７４の外側で前記係合ベース７３から突出し、前記ノズル部３１の外周基部の接合部３２を締め付け、かつ係合する凸部７５、及び前記凸部７５の反対側に環状に形成された環状係留部７６を有して成る複数の係合脚部７７と、前記栓体部７４と前記係合脚部７７との間に凹凸形状に設けた複数の回転防止部７８とを備える。この複数の係合脚部７７は、前記栓体部７４の周囲を囲繞するように所定間隔を設けて配列される。前記係合ベース７３の外周面には雄ネジ７３ａが形成される。
【００２０】
また、前記栓体部７４は係合ベース７３より先端に向かうに従って細くなる円錐台形状に形成されている。換言すると、この栓体部７４の外周面形状は、この栓体部７４をノズル部３１の開口部３５に挿入した場合に、開口部３５の内周面とこの栓体部７４の外周面とが隙間なく密着可能となるように、開口部３５の内周面に倣う形状に形成されてなる。このように、栓体部７４が円錐台形状に形成され、かつ開口部３５の内周面が前記円錐台形状に倣う円錐形に形成されているので、一端から他端まで同じ径を有する円柱形の栓体部を、一端から他端まで同じ内径を有する円筒形の開口部に装着する場合に比べて、キャップ７の大きな液密封止性が実現される。
【００２１】
前記外側リング７２は、図４に示すように、両端を開口する略円筒形をなし、その内周にネジ７９と、一端開口部にその内側に僅かに突出するように形成された係止部８１とを有する。前記ネジ７９は、この外側リング７２に、図４における矢印方向から内側栓体部材７１を挿入すると、雄ネジ７３ａと螺合するように形成される。ネジ７９と前記雄ネジ７３ａとを螺合しつつ内側栓体部材７１に対して外側リング７２を回転させると、外側リング７２内を内側栓体部材７１が図４の矢印方向に進行し、しかしその進行は係止部８１で阻止される。つまり、係止部８１に係合ベース７３が係止することにより、内側栓体部材７１が外側リング７２から抜け出ることができないようになっている。したがって、外側リング７２が係止部８１を備えていることにより、内側栓体部材７１と外側リング７１とが安定的に一体となる。また、前記外側リング７２は、その外周面に凹凸状に形成して成る滑り止め部８０が設けられる。
【００２２】
つぎに、前記キャップ７の使用の仕方を以下に説明する。
【００２３】
まず、図４に示すように、内側栓体部材７１を、栓体部７４を先頭にして外側リング７２の、係止部８１が設けられている開口部とは反対側の開口部から、外側リング７２内に挿入する。係合脚部７７の先端部にはテーパ部８２が設けられているので、内側栓体部材７１を外側リング７２の前記開口部から挿入すると、外側リング７２の開口部の縁辺に前記テーパ部８２が内側に押され、これによって係合脚部７７が内側に撓められることになる。その結果、内側栓体部材７１を容易かつ円滑に外側リング７２に装着することができる。そして図５に示されるように、係合ベース７３が係止部８１に当接し、係止された状態にする。
【００２４】
この状態で内側栓体部材７１の栓体部７４をノズル部３１の開口部から内周面に密着するように押し込み、あるいは回転させながら押し込み、かつ、ノズル部３１の先端に設けた複数の突起３３と、内側栓体部材７１に設けた複数の回転防止部７８とを係合させる。突起３３は回り止め防止部としての機能を発揮することにより、内側栓体部材７１は回転しなくなる。また、係合脚部７７は、ノズル部３１の外側を囲繞する状態となる。
【００２５】
しかる後に、外側リング７２を摘みながら、図６に示すように、外側リング７２を外側リング７２から見て反時計回りに回転させ、外側リング７２の係止部８１を係合脚部７７にまで移動させる。外側リング７２を回転させる際、外側リング７２の外周に滑り止め部８０が設けられているので、外側リング７２をつまむ指がすべることがなく、したがって、円滑に外側リング７２を回転させることができる。
【００２６】
回転防止部７８と突起３３とが係合し合っているので、内側栓体部材７１における栓体部７４は空転することがなく、したがって、外側リング７２は、内側栓体部材７１に対して確実に回転し、図６の矢印に示すように、係合ベース７３の雄ネジ７３ａとネジ７９とを螺合させながら、図示下方向に移動する。
【００２７】
そして、外側リング７２の下端が前記ノズル部３１の基部近くになると、図６に示すように、外側リング７２の係止部８１が、係合脚部７７の環状係留部７６に係合し、係合脚部７７の凸部７５をシリンダ３の接合部３２に押しつける。図６に示すように、環状係留部７６は、環状の溝となっているので、この環状係留部７６に、内側に向かって環状に突出している係止部８１が嵌り込み、これによって係合ベース７３と外側リング７２とが強固な一体物となってノズル部３１に装着された状態のキャップ７が形成される。また、環状係留部７６は上段部と下段部とで形成される溝となっており、その下段部が、上段部よりその外径が大きく設計されているので、ノズル部３１に取り付けた際に、外側リング７２が環状係留部７６の下段部を通り抜けてしまうことがない。更には、ノズルに取り付けていないときにも、外側リング７２の係止部８１と反対側の開放口から内側栓体部材７１が容易に外れることもない。なお、図６に示す例にあっては、環状係留部は上述のように下段部及び上段部で形成される環状の溝であるが、外側リングを回動して係合脚部を締め付けた場合に締め過ぎて外側リングにおける係止部が係合脚部から外れないように形成されている限り、上記溝であるに限られず、他の構造を採用することも可能である。
【００２８】
これにより、キャップ７は、ノズル部３１に、より強固に固定される。しかも、ノズル部３１の開口部３５の円錐状円筒と内側栓体部材７１の栓体部７４の円錐状台形円柱とが密着するので、完全なシール性が確保される。さらに、凸部７５は、ノズル部３１の外周に設けられたネジ山３４によって係止されるので、栓体部７４がノズル部３１の開口部から抜け出ることが阻止されている。
【００２９】
このような状態にしたところで、ノズル部３１を図示下に向け、シリンダ３の開口部を上にした状態で所定量の医療用ペーストの粉末成分例えばリン酸カルシウム系粉末をシリンダ３の内部に入れる。ついで、ピストン５における混練部５３がシリンダ３の内部に位置するように挿入し、仕切り具５１をストッパ９でシリンダ３の端部側で止める。
【００３０】
かくして、シリンダ３内に医療用ペーストの粉末成分を装填してなる医療用ペースト混練注入基材が、形成される。更には、医療用ペーストの粉末成分の投入と同時に硬化液を投入すると、シリンダ３内に粉体である医療用ペーストの粉末成分と液体例えば硬化液とを装填してなる医療用ペースト混練注入器材が、形成される。
【００３１】
医療用ペースト混練注入基材を医科歯科治療の現場で使用するに当たり、先ず、シリンダ３内に装填されている医療用ペーストの粉末成分と液体例えば硬化液とを混練する。液体が予め装填されていないときには、混練操作の直前にシリンダのノズルを通じて液体を装填し、医療用ペーストの粉末成分と液体とを混練する方法を採用することもできる。
【００３２】
混練操作は以下のようにして行われる。すなわち、ハンドル部５４を時計回りに回転させると、仕切り部５１はストッパ９によりシリンダ３に固定されているので、混練部５３がシリンダ３の先頭部つまりノズル部３１に向かって回転しつつ前進する。混練部５３の形状が、このシリンダ３の軸線方向からみて略十文字状に形成されているので、混練部５３が回転前進することにより、医療用ペーストの粉末成分例えばリン酸カルシウム系粉末と液体例えば硬化液との混練が行われる。
【００３３】
混練部５３をノズル部３１近くまで移動させたり、ハンドル部５４を所定方向例えば反時計回りに回転させて混練部５３を仕切り具５１の近くまで移動させたりすることにより、つまり前記混練部５３をシリンダ３内において回転しつつ前後進させることにより、医療用ペーストの粉末成分と液体とが充分に混練されていく。
【００３４】
混練が終了したところで、混練部５３を仕切り具５１まで戻した後、ストッパ９を外しかつキャップ７を先程と逆の工程で外して医療用ペースト混練注入器を注射器として使用する。
【００３５】
前述したように、この実施態様においては、この発明の一例である医療用ペースト混練注入器材は、前記医療用ペースト混練注入器１のシリンダ３の内部に、リン酸カルシウム系粉末と硬化液とを装填してなる。なお、医療例えば医科治療又は歯科治療に用いられる医療用ペーストの粉末成分は、前記リン酸カルシウム系粉末に限られず、種々の粉末をシリンダ内に装填することができる。したがって、この発明の一例である医療用ペースト混練注入器材は、前記医療用ペースト混練注入器１のシリンダ３の内部に医療用ペーストの粉末成分と液体とを装填して成る、と言える。
【００３６】
また、硬化液を投入すると直ちに硬化を開始するような医療用ペースト、特にリン酸カルシウム系ペーストの場合、混練直前に硬化液を投入するのが好ましい。この場合においては、シリンダ内にリン酸カルシウム系ペーストの粉末等の粉末を装填し、液体例えば硬化液を装填しない医療用ペースト混練注入器材となる。
【００３７】
以上に説明したように、この発明の医療用ペースト混練注入器によれば、キャップ７はノズル部３１に強固に固定されるため、医療用ペーストの漏れ等がなく、かつ、混練操作中にキャップ７がノズル部３１から外れることがない。
【００３８】
以上、この発明の一実施態様について具体的に説明をしたが、この発明は前記実施態様に限定されず、前記特許請求の範囲に記載された範囲内で様々に具体的な設計変更をすることができる。例えば、この発明における液体は医療用ペーストを硬化させる機能を有する硬化液としたり、医療用ペーストの粉末成分によっては単に医療用ペーストを形成する機能を有する混練液とすることもでき、またリン酸カルシウム系粉体として水硬性リン酸カルシウム系粉体を採用することもできる。水硬性のリン酸カルシウム系粉体は、水硬性であるので、患部に塗布すると迅速に硬化するのでより好ましいのである。
【００３９】
【実施例】
この発明の実施の形態に係る医療用ペースト混練注入器と従来の医療用ペースト混練注入器とを、混練性能について、比較をした。
【００４０】
前記ノズル部３１の径を、４［ｍｍ］、６［ｍｍ］、８［ｍｍ］とし、それぞれ医療用ペーストの粉末成分である骨ペーストの粉末成分と硬化液とを混練して医療用ペーストである骨ペーストを調製した。調製後に、キャップ７の状態を確認した。骨ペーストの粉末成分は、リン酸四カルシウム６．７ｇとリン酸水素カルシウム３．３ｇとからなるリン酸カルシウム系粉末１０ｇを使用し、硬化液として５０質量％デキストラン硫酸ナトリウム水溶液２．５ｇを使用した。
【００４１】
まず、骨ペーストの粉末成分を充填した医療用ペースト混練注入器１のキャップ７を開けて、硬化液を投入し、再びキャップ７をノズル部３１に装着する。
【００４２】
次いで、１０［秒］間、医療用ペースト混練注入器１を振り混ぜて、粉体を硬化液に馴染ませる。
【００４３】
ハンドル部５４を回転させて、混練部５３を仕切り具５１からノズル部３１側に移動させ、再び混練部５３を仕切り具５１側に戻す。この一往復を一ストロークとする。混練部５３を１０ストローク往復動させて混練部５３を仕切り具５１に近接させた後、キャップ７をノズル部３１から取り外し、ストッパ９も取り外して、ハンドル部５４を押し込んで、混練が完了した骨ペーストを混練部５１で押圧することにより骨ペーストをノズル部３１より排出する。
【００４４】
以上の操作を行い、キャップ７の性能の確認を行った。性能確認は、混練操作中にキャップが外れるか否か、及び、気密が保たれるか否かを確認し、表１に示すような結果を得ることができた。表１における○は、混練操作中にキャップが外れることもなく、またシリンダの内容物が漏出することもなかったことを示し、×は、混練操作中にキャップが外れ、及び／又はシリンダの内容物が漏出したことを示す。
【００４５】
また、従来品として、特開２０００−２３７２０８号公報に記載の「リン酸カルシウム系セメント用混練器具」を使用し、前記と同様の操作及び性能確認を行った。性能確認結果を表１に示した。
【００４６】
【表１】
2004254783.tif 000003
【００４７】
表１に示す結果から、この発明の実施の形態に係る医療用ペースト混練注入器１のキャップ７の性能が優れていることがわかった。
【００４８】
【発明の効果】
以上に説明したようにこの発明に係る医療用ペースト混練注入器によれば、キャップがノズル部に強固に固定されるため、医療用ペーストの漏れ等がなく、かつ、混練操作中にキャップがノズル部から外れることがないという利点がある。
【図面の簡単な説明】
【図１】この発明の実施の形態に係る医療用ペースト混練注入器を示す構成図である。
【図２】この発明の実施の形態に係る医療用ペースト混練注入器において、シリンダに設けたノズルの形状を示す断面図である。
【図３】この発明の実施の形態に係る医療用ペースト混練注入器において、シリンダに設けたノズルの形状を示す上面図である。
【図４】この発明の実施の形態に係る医療用ペースト混練注入器において、キャップの構成を示す図である。
【図５】この発明の実施の形態に係る医療用ペースト混練注入器において、キャップをノズルに被せる前の状態を説明するための図である。
【図６】この発明の実施の形態に係る医療用ペースト混練注入器において、キャップをノズルに被せた後から完全にキャップを固定した状態を説明するための図である。
【符号の説明】
１  医療用ペースト混練注入器、３  シリンダ、５  ピストン、７  キャップ、９  ストッパ、３０  円筒体、３１  ノズル部、３２  嵌合部、３３  突起（回り止め防止部）、
３４  ネジ山、３５  開口部、５０  Ｏ−リング、５１  仕切り具、
５２  シャフト部、５３  混練部、５４  ハンドル部、７１  内側栓体部材、
７２  外側リング、７３  係合ベース、７３ａ  雄ネジ、７４  栓体部、
７５  凸部、７６  環状係留部、７７  係合脚部、７８  回転防止部、
７９  ネジ、８０  滑り止め部、８１  係止部、８２  テーパ部
【図１】
2004254783.tif 000004
【図２】
2004254783.tif 000005
【図３】
2004254783.tif 000006
【図４】
2004254783.tif 000007
【図５】
2004254783.tif 000008
【図６】
2004254783.tif 000009